(57)【要約】      （修正有）【課題】筆記用具、たばこ、サングラス、はさみ、輪ゴム、パソコンの埃取ブラシ、歯ブラシ、石鹸等いわゆる水回りに使用する物、読みかけの本、トイレットペーパーなどを固定する多目的卓上スタンドを提供する。【解決手段】適宜ゴム管を巻いた針金２で固定部１およびスタンド３を形成し、人間の手が掴む動作をするがごとく、手の形で固定したい物に応じて指を折り曲げたり拡げたりして、握る・掴む・挟むことが可能な「グー」「チョキ」「パー」の形等に調整可能とした。【選択図】図１
2014233973.tif 000002
【特許請求の範囲】
【請求項１】
適宜ゴム管を巻いた針金による、事務作業の事務用品、本、書類、ポケット手帳、扇子、ハンマーやドライバー等の工具等、日常生活等の風呂、トイレ、洗面所等水回り所等のトイレットペーパー、石鹸、歯ブラシ、歯磨きチューブ等を、多目的卓上スタンドとして固定する、多目的固定器具
【請求項２】
さらに、手の形を象った固定部分で固定する請求項１の固定器具
【請求項３】
さらに、手の形を象った固定部分を折り曲げ又は拡げ等することによって固定しようとする物の大きさ等に応じ、「グー」「チョキ」「パー」等といった具合に調整し人間の手のように握る・掴む・挟む等して固定する請求項１の固定器具。
【請求項５】
さらに、手の形を象った固定部分を折り曲げ又は拡げ等することによって固定しようとする物の大きさ等に応じ、「グー」「チョキ」「パー」等といった具合に調整する代わりに、予め「グー」「チョキ」「パー」等の形になった固定部分の器具を入れ替えて使用することも可能な請求項１の器具
【請求項６】
さらに、ゴム管や針金を、用途に応じ色や太さ、柔らかさや材質等を使い分けた請求項１の固定器具。
【請求項７】
さらに、一つのスタンドでは固定が難しい形状、大きさ、重さ等である物、書類、拡げた扇子、開いた状態の本、トイレットペーパー等の物を、スタンドを合体、又は並列に置く等して二つ又はそれ以上の複数で両手乃至それ以上の手で、一つのスタンドとして、適宜必要に応じてプラスチック製の電線ケーブルを束ねる簡易バンドや針金等でスタンドを固定して、握る・掴む・挟む等して固定する請求項１の固定器具。
【請求項８】
さらに、トイレットペーパーは単に本体を握る・掴む・挟めるのみならず、任意の一つの指を軸に回転させ他の二つの指が取った紙を掴む・挟める等することにより、卓上テイッシュの代用も可能な請求項１の固定器具。
【請求項９】
さらに、図では、図が意味するのを明らかにする為、敢えて大きめに表現したが、大小の寸法をも含む請求項１の表示。
【発明の詳細な説明】
【技術分野】
【０００１】  本発明は、適宜ゴム管を巻いた、針金による、手の形で固定したい物に応じて指を折り曲げたり拡げたりして「グー」「チョキ」「パー」の形等に調整し握る・掴む・挟むなどして固定する、片手又は両手等にて支える多目的卓上スタンド関するものである。
【技術背景】
【０００２】  先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願した。
また、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるゴム管付き針金によるフックを出願した。
この応用が、フック等で掛けるゴム管針金による、車両等の車内の筆記用具とメモ用紙又は駐車場券、伝票、ガソリン領収書、写真、写真入り額縁等をペアで固定する、多用途固定器具として有効ではないかと気がつき、さらにゴム管を履かせた針金で作るコイルにて固定する固定器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具、フック等で掛けるゴム管針金による、車両等の車内の筆記用具とメモ用紙又は駐車場券、伝票、領収書、写真、写真入り額縁等をペアで固定する、多目的フックを出願した。
耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能であるということだった。
これらの器具の応用として、筆記用具、付箋等とパソコンとを一緒に留め置く器具としてパソコンの画面の横に、筆記用具と付箋等フック等で吊るすフック等で掛けるゴム管針金による、パソコン画面の左右等に筆記用具と付箋等をペアで固定するフックを出願した。
【０００３】  さらに、これらの応用として、家庭や介護施設、入院施設等で配膳に利用されるトレー、また新幹線や在来線の特急電車の座席に折り畳み式に広げて使うトレー等平べったい形状のものに、ペットボトルや紙コップ等飲料を注ぎ入れ俺トレーに置く容器を、運搬・移動又は電車等の振動から倒れ内容物を溢すことを防ぐ固定器具であり、そのトレー等平べったい形状の物に、フォーク状の爪をもってして差し入れ固定する固定器具を出願した。
【０００４】  この、ゴム管を巻いた針金を、出願当初のクリップボード上の筆記用具落下防止器にも活かし、且つ筆記用具固定部分をこれも手型にし更に人間の手の指のように折り曲げたり拡げたりというゴム管を巻いた針金ならではの柔軟性を生かした曲げられる手を持つフックにすると、「グー」「チョキ」「パー」のように形を変えると、単純に筆記用具だけでなく、定規や付箋等更に固定でき、単に蜷局状、コイル状の筆記用具だけを固定可能な前出願案件よりも、クリップボード上の筆記用具等落下防止器具として、さらに活用性が高まるのではと考え出願した
フックは固定でなければならないのは、フックで吊る物が重量物である場合である。クリップボードにフックで引っかける物は、軽量物でなければならない。でなければ落下するからである。また固定する対象は、その都度クリップボードを使用し行う作業内容に左右される。筆記用具、付箋等多様な物である。よって、固定部をコイルから人間の手の形にし、且つその針金を巻いたゴム管が曲げられる柔軟性を生かし、所謂「グー」「チョキ」「パー」の形状に指を折り曲げ、固定したい物に合わせて曲げて使うことが可能な、形状可変のフックであれば、単にとぐろ状、コイル状の筆記用具固定部分のフックよりも利用度が高くなるのではないかと考えた。フックは固定でなければならない固定観念を捨て、フックも形状が変えられても良い発想に気が付いた。
作業前に、フックをその作業に必要としている物を固定するのに合う形状に曲げられることが煩わしければ、手の形状の指のところに、筆記用具を刺して固定することも可能であり、且つ差し手固定する筆記用具等の本数も、手の形の指が１０本あるので、連装のコイル状の筆記用具固定器具よりも多く固定が可能である。
更に、フックによる固定したい物が多様である場所とは、クリップボードだけではなく、前述自家用車等の車内も同様で、コイル状・蜷局状の筆記用具等固定部分を、人間の手形にし指を伸ばしたり折り曲げたりし、日本人なら誰でも思い浮かべることが容易な形「グー」「チョキ」「パー」にすると、引っかけて固定したい物は、筆記用具は言うに及ばず、たばこや運転に欠かせないサングラス等新たな活用性を見出すことに気が付いた。また、試作してみると、前述フック等で掛けるゴム管針金による、車両等の車内の筆記用具とメモ用紙又は駐車場券、伝票、ガソリン領収書、写真、写真入り額縁等をペアで固定する、多用途固定器具の形状よりも、人間の手形の形による指を伸ばしたり折り曲げたりする固定の方が、振動の絶えない自家用車等の車内にて耐振動性が良好である。さらに、単純に何も固定しなければ「グー」「チョキ」「パー」の固定器具が装飾器具にもなり得一石二鳥でもある。「グー」「チョキ」「パー」の形の固定器具なら、通常日本人なら健常者なら思い浮かべるのが容易ななじみの深い手・指の形である。その形をしたフック、固定器具で自家用車用となれば、自分に必要なフック・固定器具がどれかは選択するのも容易なはずである。というのは、自家用車内で使用する物は個人個人で多様であり、ある程度使い分け可能で、伸ばし折り曲げし調整可能で且つ、それが煩わしければ予め「グー」「チョキ」「パー」の形をしたフック・固定器具を選択可能とすれば、より個人のニーズに応じたフック、固定器具が出来上がるはずである。グー」「チョキ」「パー」の固定器具とは、「掴み」「挟み」「手に取る」仕草で物を固定することができる固定器具である。弾力のある針金をゴム管で巻き指で固定するから、人間の本物の指のように、折り曲げ伸ばし微調整が可能である。耐水性、耐防振性、静粛性、エアコン排気口に傷をつけない、万が一落下しブレーキペダル下に入っても容易に曲げられるのでペダルが踏み込めなくなることがなく、ゴム管・針金による廉価で軽い材料でなるため使用者の負担が費用的にも物理的にも軽い利点が考えられる。以上の理由から出願した。
更に、ゴム管を巻いた針金による、手の形で固定したい物に応じて指を折り曲げたり拡げたりして「グー」「チョキ」「パー」の形等に調整することが可能な自家用車内等の筆記用具、たばこ、サングラス等の固定器具を、卓上のスタンドとして使用すれば、固定できる対象は、筆記用具は言うに及ばず、はさみ、輪ゴム、パソコンの埃取ブラシに始まり、卓上のみならず家庭の所謂風呂、トイレ、洗面所等水回りで使用する歯ブラシ、石鹸等物も固定するスタンドとして使用可能であり、且つ何も固定しないでただ置くだけでも装飾品、遊興品としての使用も可能で一石二鳥であり、更には一つのスタンドとして片手で固定するスタンドを複数、例えば二つ合体・並列置き等し両手で支える・固定するようにすると、二つ合体した一つの骨太スタンドとして、片手でなく両手で支えるようにすれば、より大きく重い物、例えば読みかけの本で開いた状態の物を固定するスタンド、片手で保持するには大きいトイレットペーパーを置き保持するスタンド等、片手で又は両手で或いはそれ以上で多目的スタンドとして利用可能性が大きく拡大できるのではと気が付いた。これは、人間の手が掴む動作をするがごとく、適宜ゴム管を巻いた針金による、手の形で固定したい物に応じて指を折り曲げたり拡げたりして「グー」「チョキ」「パー」の形等に調整し握る・掴む・挟むなどして固定する、多目的卓上スタンドとして使用すれば、職場や家庭等で固定しスタンドとして座右に置き頻繁に使用する多様な物を、幅広く、手の指を広げたり縮めたりして固定し、卓上スタンドとして幅広く使用可能とすることができると考えた。耐水性のある、適宜ゴム管を巻いた構造だから、片手を象ったスタンドを両手に加工する、または並列に並べる、或いは片手のスタンド２式を形状が同じな丸い等した形状のスタンド部を合体させ１式両手で拡げた形状にすることが可能なのではないかと考えた。物を載せているときに、安定性をさらに得るため適宜必要に応じて、スタンド部分を電線ケーブルを束ねるプラスチック製の簡易バンドで数か所を締めると、さらに安定性は増すことも分かった。また、トイレットペーパーを卓上テイッシュの代わりに職場の卓上で使用することも、可能になることもわかった。
【０００５】  スタンド類において、筆記用具としてペン、書棚等に収納する閉じた状態の本、歯ブラシとペンスタンド、ブックスタンド、歯ブラシスタンドと個別に検索し、先人の優れた特許が既にいくつかなされている。また、優れた市販の製品も販売されている。
［特許出願２０１１−３５７０］
［特許公開２０１２−１４３９５０スタンド］
［特許出願２００５−３００９０４］
［特許公開２００７−７６３５３ペンスタンド］
［実用新案出願２００８−８９６１］
［登録実用新案第３１５０５９６号フリースタンド］
［特許出願２００９−２１０２４６］
［特許公開２０１１−５６１０５］  ブックスタンド
簡易な構造で製造が容易である、積み重ねて梱包搬送可能なブックスタンド
［特許出願２００６−２６５９１３］
［特許公開２００８−５５１１９］  ブックスタンド
［特許出願２００３−４３４０３６］
［特許公開２００５−１８５７２３］  ブックスタンド兼用書類フォルダー
［特許出願２００３−１３５０２５］
［特許公開２００４−３３７２５２］  ブックスタンド
［特許出願２００８−１４５１３１］
［特許公開２００９−２６８８６２］  布製ポケット型の歯ブラシスタンド
［特許出願２００７−３４１６２３］
［特許公開２００９−１３６６３５］  布製ポケット型の歯ブラシスタンド
［特許出願２００４−３３１２０１］
［特許公開２００６−６９０３］  多目的支持脚
人間の手形の固定部分を持ち、指を伸ばしたり折り曲げたりし「グー」「チョキ」「パー」の形状で筆記用具等筆記用具は言うに及ばず、はさみ、輪ゴム、パソコンの埃取ブラシに始まり、歯ブラシ、石鹸等いわゆる水回りに使用する物も固定するスタンドとして使用可能であり、且つ何も固定しないでただ置くだけでも装飾品、遊興品としての使用も可能で一石二鳥であり、さらには一つのスタンドとして片手で固定するスタンドを二つ合体・並列置き等し両手で支える・固定するようにし二つでひとつの合体スタンドとして、片手でなく両手で支えるようにすれば、より大きな物、例えば読みかけの本で開いた状態の物を固定するスタンド、片手で保持するには大きいトイレットペーパーを置き保持するスタンド等、多目的スタンドとして固定するものが複数でも良い利用可能性なスタンドを見出すことができなかった。
【発明が解決しようとする課題】
【０００６】  先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願した。
また、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるゴム管付き針金によるフックを出願した。
この応用が、フック等で掛けるゴム管針金による、車両等の車内の筆記用具とメモ用紙又は駐車場券、伝票、ガソリン領収書、写真、写真入り額縁等をペアで固定する、多用途固定器具として有効ではないかと気がつき、さらにゴム管を履かせた針金で作るコイルにて固定する固定器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具、フック等で掛けるゴム管針金による、車両等の車内の筆記用具とメモ用紙又は駐車場券、伝票、領収書、写真、写真入り額縁等をペアで固定する、多目的フックを出願した。
耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能であるということだった。
これらの器具の応用として、筆記用具、付箋等とパソコンとを一緒に留め置く器具としてパソコンの画面の横に、筆記用具と付箋等フック等で吊るすフック等で掛けるゴム管針金による、パソコン画面の左右等に筆記用具と付箋等をペアで固定するフックを出願した。
【０００７】  さらに、これらの応用として、家庭や介護施設、入院施設等で配膳に利用されるトレー、また新幹線や在来線の特急電車の座席に折り畳み式に広げて使うトレー等平べったい形状のものに、ペットボトルや紙コップ等飲料を注ぎ入れ俺トレーに置く容器を、運搬・移動又は電車等の振動から倒れ内容物を溢すことを防ぐ固定器具であり、そのトレー等平べったい形状の物に、フォーク状の爪をもってして差し入れ固定する固定器具を出願した。
【０００８】  この、ゴム管を巻いた針金を、出願当初のクリップボード上の筆記用具落下防止器にも活かし、且つ筆記用具固定部分をこれも手型にし更に人間の手の指のように折り曲げたり拡げたりというゴム管を巻いた針金ならではの柔軟性を生かした曲げられる手を持つフックにすると、単純に筆記用具だけでなく、定規や付箋等更に固定でき、単に蜷局状、コイル状の筆記用具だけを固定可能な前出願案件よりも、クリップボード上の筆記用具等落下防止器具として、さらに活用性が高まるのではと考え出願した、。
【０００９】  フックは固定でなければならないのは、フックで吊る物が重量物である場合である。クリップボードにフックで引っかける物は、軽量物でなければならない。でなければ落下するからである。また固定する対象は、その都度クリップボードを使用し行う作業内容に左右される。筆記用具、付箋等多様な物である。よって、固定部をコイルから人間の手の形にし、且つその針金を巻いたゴム管が曲げられる柔軟性を生かし、所謂「グー」「チョキ」「パー」の形状に指を折り曲げ、固定したい物に合わせて曲げて使うことが可能な、形状可変のフックであれば、単にとぐろ状、コイル状の筆記用具固定部分のフックよりも利用度が高くなるのではないかと考えた。フックは固定でなければならい固定観念を捨て、フックも形状が変えられても良い発想に気が付き出願した。
【００１０】  作業前に、フックをその作業に必要としている物を固定するのに合う形状に曲げられることが煩わしければ、手の形状の指のところに、筆記用具を刺して固定することも可能であり、且つ差し手固定する筆記用具等の本数も、手の形の指が１０本あるので、連装のコイル状の筆記用具固定器具よりも多く固定が可能である。
【００１１】  更に、フックによる固定したい物が多様である場所とは、クリップボードだけではなく、前述自家用車等の車内も同様で、コイル状・蜷局状の筆記用具等固定部分を、人間の手形にし指を伸ばしたり折り曲げたりし、日本人なら誰でも思い浮かべることが容易な形「グー」「チョキ」「パー」にすると、引っかけて固定したい物は、筆記用具は言うに及ばず、たばこや運転に欠かせないサングラス等新たな活用性を見出すことに気が付いた。また、試作してみると、前述フック等で掛けるゴム管針金による、車両等の車内の筆記用具とメモ用紙又は駐車場券、伝票、ガソリン領収書、写真、写真入り額縁等をペアで固定する、多用途固定器具の形状よりも、人間の手形の形による指を伸ばしたり折り曲げたりする固定の方が、振動の絶えない自家用車等の社内にて耐振動性が良好である。さらに、単純に何も固定しなければ「グー」「チョキ」「パー」の固定器具が装飾器具にもなり得一石二鳥でもある。「グー」「チョキ」「パー」の形の固定器具なら、通常日本人なら健常者なら思い浮かべるのが容易ななじみの深い手・指の形である。その形をしたフック、固定器具で自家用車用となれば、自分に必要なフック・固定器具がどれかは選択するのも容易なはずである。というのは、自家用車内で使用する物は個人個人で多様であり、ある程度使い分け可能で、伸ばし折り曲げし調整可能で且つ、それが煩わしければ予め「グー」「チョキ」「パー」の形をしたフック・固定器具を選択可能とすれば、より個人のニーズに応じたフック、固定器具が出来上がるはずだからである。「グー」「チョキ」「パー」の固定器具とは、「掴み」「挟み」「手に取る」仕草で物を固定することができる固定器具である。弾力のある針金をゴム管で巻き指で固定するから、人間の本物の指のように、折り曲げ伸ばし微調整が可能である。耐水性、耐防振性、静粛性、エアコン排気口に傷をつけない、万が一落下しブレーキペダル下に入っても容易に曲げられるのでペダルが踏み込めなくなることがなく、ゴム管・針金による廉価で軽い材料でなるため使用者の負担が費用的にも物理的にも軽い利点が考えられる。以上の理由から出願した。
【課題を解決するための手段】
【００１２】  更に、適宜ゴム管を巻いた針金による、手の形で固定したい物に応じて指を折り曲げたり拡げたりして「グー」「チョキ」「パー」の形等に調整することが可能な自家用車内等の筆記用具、たばこ、サングラス等の固定器具を、卓上のスタンドとして使用すれば、固定できる対象は、筆記用具は言うに及ばず、はさみ、輪ゴム、パソコンの埃取ブラシに始まり、歯ブラシ、石鹸等いわゆる水回りに使用する物も固定するスタンドとして使用可能であり、且つ何も固定しないでただ置くだけでも装飾品、遊興品としての使用も可能で一石二鳥であり、さらには一つのスタンドとして片手で固定するスタンドを複数、例えば二つ合体・並列置き等し両手で支える・固定するようにすると、また一つのスタンドとしての使用のみならず二つを一つに合体した一つの骨太スタンドとして、片手でなく両手で支えるようにすれば、より大きく重い物、例えば読みかけの本で開いた状態の物を固定するスタンド、片手で保持するには大きいトイレットペーパーを置き保持するスタンド等、多目的スタンドとして利用可能性が拡大できるのではと気が付いた。これは、人間の手が掴む動作をするがごとく、適宜ゴム管を巻いた針金による、手の形で固定したい物に応じて指を折り曲げたり拡げたりして「グー」「チョキ」「パー」の形等に調整し握る・掴む・挟むなどして固定する、多目的卓上スタンドとして使用すれば、職場や家庭等で固定しスタンドとして座右に置き頻繁に使用する多様な物を、幅広く、手の指を広げたり縮めたりして固定し、卓上スタンドとして幅広く使用可能とすることができると考えた。耐水性のある、適宜ゴム管を巻いた構造だから、片手を象ったスタンドを両手にする、または並列に並べる、或いは片手のスタンド２式を形状が同じな丸い等した形状のスタンド部を合体させ１式両手で拡げた形状にすることが可能なのではないかと考えた。物を載せているときに、安定性をさらに得るため適宜必要に応じて、スタンド部分を電線ケーブルを束ねるプラスチック製の簡易バンドで数か所を締めると、さらに安定性は増すことも分かった。また、トイレットペーパーを卓上テイッシュの代わりに職場の卓上で使用することも、可能になることもわかった。
【発明の効果】
【００１３】  適宜ゴム管を巻いた針金による、手の形で固定したい物に応じて指を折り曲げたり拡げたりして「グー」「チョキ」「パー」の形等に調整することが可能な自家用車内等の筆記用具、たばこ、サングラス等の固定器具を、卓上のスタンドとして使用し、固定できる対象は、筆記用具は言うに及ばず、はさみ、輪ゴム、パソコンの埃取ブラシに始まり、歯ブラシ、石鹸等いわゆる水回りに使用する物も固定するスタンドとして使用可能となり、且つ何も固定しないでただ置くだけでも装飾品、遊興品としての使用も可能で一石二鳥であり、さらには一つのスタンドとして片手で固定するスタンドを複数、例えば二つ合体・並列置き等し両手で支える・固定するようにすると、また一つのスタンドとしての使用にもならず二つ合わせてスタンドとして、片手でなく両手で支えるようにすれば、より大きな物、例えば読みかけの本で開いた状態の物を固定するスタンド、片手で保持するには大きいトイレットペーパーを置き保持するスタンド等、多目的スタンドとして利用可能性が拡大できた。人間の手が掴む動作をするがごとく、適宜ゴム管を巻いた針金による、手の形で固定したい物に応じて指を折り曲げたり拡げたりして「グー」「チョキ」「パー」の形等に調整することが可能な、多目的卓上スタンドとして使用し、職場や家庭等で固定しスタンドとして座右に置き頻繁に使用する多様な物を、幅広く、手の指を広げたり縮めたりして固定し、卓上スタンドとして幅広く使用可能とすることができた。耐水性のある、適宜ゴム管を巻いた構造だから、片手を象ったスタンドを両手に加工する、または並列に並べる、或いは片手のスタンド２式を形状が同じな丸い等した形状のスタンド部を合体させ１式両手で拡げた形状にすることが可能となった。物を載せているときに、安定性をさらに得るため適宜必要に応じて、スタンド部分を電線ケーブルを束ねるプラスチック製の簡易バンドで数か所を締めると、さらに安定性は増すことも分かった。また、トイレットペーパーを卓上テイッシュの代わりに職場の卓上で使用することも、可能になることもわかった。
人間の手形にし指を伸ばしたり折り曲げたりし、日本人なら誰でも思い浮かべることが容易な形「グー」「チョキ」「パー」にし、引っかけて固定したい物は、筆記用具は言うに及ばず、たばこや運転に欠かせないサングラス等から、卓上製品全般、また日常生活の水回り製品までスタンドとして、人間の手が保持し固定可能なものを固定することが可能な、汎用性の広い多目的スタンドができた。単純に何も固定しなければ「グー」「チョキ」「パー」の固定器具が装飾器具にもなり得一石二鳥でもあった。「グー」「チョキ」「パー」の形の固定器具なら、通常日本人なら健常者なら思い浮かべるのが容易ななじみの深い手・指の形である。その形をしたフック、固定器具で自家用車用となれば、自分に必要なフック・固定器具がどれかは選択するのも容易であった。弾力のある針金をゴム管で巻き指で固定するから、人間の本物の指のように、折り曲げ伸ばし微調整が可能である。
耐水性、耐防振性、静粛性、万が一落下しブレーキペダル下に入っても容易に曲げられるので破損の恐れが少ない利点が生かせることができた。ゴム管・針金による廉価で軽い材料でなるため使用者の負担が費用的にも物理的にも軽い。固定部をコイルから人間の手の形にし、且つその針金を巻いたゴム管が曲げられる柔軟性を生かし、所謂「グー」「チョキ」「パー」の形状に指を折り曲げ、固定したい物に合わせて曲げて使うことが可能な、形状可変のスタンドとなり日常生活の卓上の事務作業、日常生活の水回り製品のスタンドとして日常生活全般の利便性が向上した。
【図面の簡単な説明】
【００１４】
【図１】本発明の正面図である。
【図２】本発明の正面図である。
【図３】本発明の正面図である。
【図４】本発明の正面図である。
【図５】本発明の正面図である。
【図６】本発明の正面図である。
【図７】本発明の正面図である。
【図８】本発明の正面図である。
【図９】本発明の正面図である。
【図１０】本発明の正面図である。
【図１１】本発明の正面図である。
【図１２】本発明の正面図である。
【図１３】本発明の正面図である。
【図１４】本発明の正面図である。
【図１５】本発明の正面図である。
【図１６】本発明の正面図である。
【図１７】本発明の正面図である。
【図１８】本発明の側面図である。
【図１９】本発明の正面図である。
【図２０】本発明の側面図である。
【図２１】本発明の側面図である。
【図２２】本発明の側面図である。
【図２３】本発明の側面図である。
【図２４】本発明の正面図である。
【図２５】本発明の正面図である。
【図２６】本発明の正面図である。
【図２７】本発明の正面図である。
【図２８】本発明の斜見図である。
【図２９】本発明の斜見図である。
【図３０】本発明の断面図である。
【図３１】本発明の断面図である。
【図３２】本発明の上面図である。
【図３３】本発明の上面図である。
【発明を実施するための形態】
【００１５】  本発明を実施するための形態を説明する。
【符号の簡単な説明】
１  固定部
２  適宜ゴム管を巻いた針金  白及び赤
３  スタンド
４  プラスチック製の簡易な電線ケーブルを束ねるバンド
５  書類又は小冊子
６  扇子
７  本
８  トイレットペーパー
９  定規
１０  埃取ブラシ
１１  ハンマー
１２  ドライバー
１３  割箸
１４  ポケット手帳
１５  石鹸
１６  輪ゴム
１７  はさみ
１８  シャープペンシル
１９  デンタルミラー
２０  歯ブラシ
【図１】
2014233973.tif 000003
【図２】
2014233973.tif 000004
【図３】
2014233973.tif 000005
【図４】
2014233973.tif 000006
【図５】
2014233973.tif 000007
【図６】
2014233973.tif 000008
【図７】
2014233973.tif 000009
【図８】
2014233973.tif 000010
【図９】
2014233973.tif 000011
【図１０】
2014233973.tif 000012
【図１１】
2014233973.tif 000013
【図１２】
2014233973.tif 000014
【図１３】
2014233973.tif 000015
【図１４】
2014233973.tif 000016
【図１５】
2014233973.tif 000017
【図１６】
2014233973.tif 000018
【図１７】
2014233973.tif 000019
【図１８】
2014233973.tif 000020
【図１９】
2014233973.tif 000021
【図２０】
2014233973.tif 000022
【図２１】
2014233973.tif 000023
【図２２】
2014233973.tif 000024
【図２３】
2014233973.tif 000025
【図２４】
2014233973.tif 000026
【図２５】
2014233973.tif 000027
【図２６】
2014233973.tif 000028
【図２７】
2014233973.tif 000029
【図２８】
2014233973.tif 000030
【図２９】
2014233973.tif 000031
【図３０】
2014233973.tif 000032
【図３１】
2014233973.tif 000033
【図３２】
2014233973.tif 000034
【図３３】
2014233973.tif 000035